(57)【要約】【課題】  被切断材の表面が平坦でなくてもガイドバーの被切断材に対する支持を安定させ、ガイドバーをスムーズに移動できるようにし、精度良く製材ができるようにする。【解決手段】  被切断材６の切断時にガイドバー１の面方向に沿って被切断材６の表面を転動するローラ９と、ガイドバー１に取付けられローラ９を転動可能に支持する支持体１０とを備え、支持体１０を、ローラ９をチェーン刃２に対向しかつローラ９の回転軸１２がガイドバー１の面方向に直交するように保持する保持部１３と、この保持部１３に延設されチェーン刃２を跨いでガイドバー１の側面に固定される一対の脚部１４とを備えて形成し、ガイドバー１に対して着脱可能にした構成とした。【選択図】図１
2008120066.tif 000002
【特許請求の範囲】
【請求項１】
被切断材を切断するエンドレスのチェーン刃を、本体に突設された板状のガイドバーの周縁に巻回してなり、上記被切断材に対し上記チェーン刃を上記ガイドバーの面方向に沿って移動させて当該被切断材を切断するチェーンソーに取付けられるチェーンソー用案内装置において、
上記被切断材の切断時に上記ガイドバーの面方向に沿って該被切断材の表面を転動するローラと、
上記ガイドバーに取付けられ上記ローラを転動可能に支持する支持体とを備えたことを特徴とするチェーンソー用案内装置。
【請求項２】
上記支持体を、上記ガイドバーに対して着脱可能にしたことを特徴とする請求項１記載のチェーンソー用案内装置。
【請求項３】
上記支持体を、上記ローラを上記チェーン刃に対向しかつ該ローラの回転軸が上記ガイドバーの面方向に直交するように保持する保持部と、該保持部に延設され上記チェーン刃を跨いで上記ガイドバーの側面に固定される一対の脚部とを備えて構成したことを特徴とする請求項２記載のチェーンソー用案内装置。
【請求項４】
上記脚部を上記ガイドバーに対して解除可能にロックするロック機構を備えることを特徴とする請求項３記載のチェーンソー用案内装置。
【請求項５】
上記保持部を、ベース部材と、一端に上記ローラが保持され他端が上記ベース部材に回動可能に軸支されて揺動するアームと、該ベース部材と該アームとの間に設けられ該ローラの当該ベース部材側方向への移動とは反対方向に該アームを付勢するスプリングと、該ローラの揺動範囲を規定するストッパとを備えて構成したことを特徴とする請求項１乃至４何れかに記載のチェーンソー用案内装置。
【請求項６】
上記チェーンソーの移動時に上記ガイドバーの傾きを視認するための水準器を備えたことを特徴とする請求項１乃至５何れかに記載のチェーンソー用案内装置。
【請求項７】
被切断材に対し該被切断材の切断線を投射するレーザー光を送出するレーザー墨出器と、上記ガイドバーが通過する仮想面上に位置する基準線が描かれ上記レーザー光を反射する受光板とを備えたことを特徴とする請求項１乃至６何れかに記載のチェーンソー用案内装置。
【請求項８】
請求項１乃至７何れかに記載のチェーンソー用案内装置を備えたことを特徴とするチェーンソー。
【請求項９】
請求項１乃至７何れかに記載のチェーンソー用案内装置を備えたチェーンソーを用いて被切断材を切断する被切断材の切断方法において、
上記チェーンソー用案内装置をチェーンソーのガイドバーの先端部に取付け、被切断材の表面に切断線を罫書き、当該被切断材に上記チェーンソーのガイドバーの先端部側に罫書かれた切断線に沿う方向で上記チェーンソー用案内装置のローラが転動可能に係入される溝を形成し、当該チェーンソーで当該被切断材を切断する際、上記チェーンソー用案内装置のローラを上記溝に係入し、該溝を転動させながら切断することを特徴とする被切断材の切断方法。
【発明の詳細な説明】
【技術分野】
【０００１】
本発明は、木材等の被切断材を切断するチェーンソーに取付けられ、切断の際にチェーンソーを移動させ易くするチェーンソー用案内装置，このチェーンソー用案内装置を備えたチェーンソー及び被切断材の切断方法に関する。
【背景技術】
【０００２】
一般に、図１２に示すように、チェーンソーＣａは、木材からなる被切断材６を切断するチェーン刃２と、本体８から突設されチェーン刃２を周縁に巻回してなるガイドバー１と、本体８に設けられスイッチのトリガー３を備えたハンドル４と、グリップ５とを備えて構成されている。そして、このチェーンソーＣａにより被切断材６を切断するときは、作業者は片手でハンドル４を、もう片方の手でグリップ５を把持しながらチェーンソーＣａを移動させる。この際、手でチェーンソーＣａを移動させるので、熟練度の低い作業者では、チェーンソーＣａの重さにより、ぐらつくことから正確にガイドバー１を移動させて被切断材６を切断できないことがあった。特に、被切断材６が丸太の場合であって、これを長手方向に切断する場合には真直に切断しにくく、切断精度を損ねてしまう。
【０００３】
そこで、従来においては、図１２に示すように、本体８に被切断材６に摺接する突起部７を設け、作業時に、この突起部７を被切断材６に摺接させることにより、チェーンソーＣａを被切断材６に支持してがたつきを抑え、スムーズにガイドバー１を移動させることができるようにしている（例えば、特開平８−２６７４０１号公報掲載）。
【０００４】
【特許文献１】特開平８−２６７４０１号公報
【発明の開示】
【発明が解決しようとする課題】
【０００５】
しかしながら、この従来のチェーンソーＣａにあっては、突起部７が平坦面となっているため、被切断材６が丸太などの曲面であるような場合、突起部７が被切断材６の表面に引っ掛り易く、スムーズにガイドバー１を移動させにくいことがあり、操作性に劣るという問題があった。
【０００６】
本発明は、このような問題点に鑑みてなされたもので、被切断材の表面が平坦でなくてもガイドバーの被切断材に対する支持を安定させ、ガイドバーをスムーズに移動できるようにし、精度良く製材ができるようにしたチェーンソー用案内装置及びこのチェーンソー用案内装置を備えたチェーンソーを提供することを目的とする。
【課題を解決するための手段】
【０００７】
このような目的を達成するため、本発明のチェーンソーの案内装置は、被切断材を切断するエンドレスのチェーン刃を、本体に突設された板状のガイドバーの周縁に巻回してなり、上記被切断材に対し上記チェーン刃を上記ガイドバーの面方向に沿って移動させて被切断材を切断するチェーンソーに取付けられるチェーンソー用案内装置において、上記被切断材の切断時に上記ガイドバーの面方向に沿って被切断材の表面を転動するローラと、上記ガイドバーに取付けられ上記ローラを転動可能に支持する支持体とを備えた構成とした。
【０００８】
これにより、例えば、被切断材が丸太の場合であって、これを長手方向に切断するときは、ローラを被切断材の表面に転動させてチェーンソーを被切断材に支持させながらガイドバーを移動させる。この場合、ローラがガイドバーの面方向に沿って被切断材の表面を転動するので、従来の平坦面な突起部の場合と異なり、被切断材の表面に引っ掛りにくくなり、支持を安定させてスムーズにガイドバーを移動させることができ、そのため、精度良く製材することができる。
【０００９】
そして、必要に応じ、上記支持体を、上記ガイドバーに対して着脱可能にした構成とした。これにより、支持体を必要時にのみ取付けることができるので、例えば、立木を切断する場合には、支持体を取外し、通常の切断の用に供することができる。また、支持体の位置を容易に変更することも可能で、ガイドバーの長さを被切断材の大きさに合わせることができ、他の接触物に触れることが無く、安定した作業が行える。
【００１０】
また、必要に応じ、上記支持体を、上記ローラを上記チェーン刃に対向しかつローラの回転軸が上記ガイドバーの面方向に直交するように保持する保持部と、この保持部に延設され上記チェーン刃を跨いで上記ガイドバーの側面に固定される一対の脚部とを備えた構成とした。これにより、作業時にガイドバーの移動線上をローラも移動できるようになるため、バランスが良く、より一層支持が安定する。更に、脚部がチェーン刃を跨いで取付けられるので、ローラとチェーン刃が接触することがなく、ローラの回転とチェーン刃の回転が妨げられることが無くなる。
更に、必要に応じ、上記脚部を上記ガイドバーに対して解除可能にロックするロック機構を備えた構成とした。これにより、ロック機構のロック及びロック解除により、支持体の着脱を行なうので、着脱作業が容易にできるようになる。
【００１１】
そして、また、必要に応じ、上記保持部を、ベース部材と、一端に上記ローラが保持され他端が上記ベース部材に回動可能に軸支されて揺動するアームと、該ベース部材と該アームとの間に設けられ該ローラの当該ベース部材側方向への移動とは反対方向に該アームを付勢するスプリングと、該ローラの揺動範囲を規定するストッパとを備えた構成とした。これにより、切断するときは、チェーンソーをガイドバーの長手方向に手で押したり引いたりしてローラを被切断材に接触させながらガイドバーを進行させる。この場合、チェーンソーが、手の微妙な動きや被切断材の凹凸具合によってガイドバーの長手方向に動いても、ローラがスプリングにより被切断材に対して弾接しているので、ローラの被切断材に対する追従性が向上し、安定した切断を行なうことができる。また、ストッパを設けたので、ローラが所定の揺動範囲で揺動し、そのため、保持部に接触することがなく、ローラの回転が妨げられることがない。
【００１２】
また、必要に応じ、上記チェーンソーの移動時に上記ガイドバーの傾きを視認するための水準器を備えた構成とした。これにより、ガイドバーを垂直にして移動させる際、作業者が、ガイドバーが被切断材に対して垂直な姿勢になっているか否かを容易に知ることができ、適宜姿勢を修正できるので、この点でも精度良く製材することができる。
【００１３】
更に、必要に応じ、被切断材に対し該被切断材の切断線を投射するレーザー光を送出するレーザー墨出器と、上記ガイドバーが通過する仮想面上に位置する基準線が描かれ上記レーザー光を反射する受光板とを備えた構成とした。これにより、切断箇所に切断線を入れる際、凸凹のある場所や手の届かない場所など巻尺を使用しにくい場所も、レーザーであれば容易に切断線を明確にすることができる。また、受光板にはガイドバーが通過する仮想面上に位置する基準線が描かれており、この仮想面上に切断線が位置するようにガイドバーを進行させればよいことから、作業者は、受光板を見て受光板に写ったレーザー光と基準線とが一致するようにガイドバーを進行させればよいので、ガイドバーの姿勢を容易に修正でき、そのため、この点でも精度良く製材することができる。また、作業者が、切断線を見る場合に、ガイドバーと被切断材の接触部分を見なくても良く、レーザー光を見やすい状況で作業できるようになる。
【００１４】
また、上記目的を達成するための本発明の技術的手段は、上記何れかに記載のチェーンソー用案内装置を備えたチェーンソーにある。ガイドバーの被切断材に対する支持を安定させ、ガイドバーをスムーズに移動できるようにし、精度良く製材ができるようになる。
【００１５】
更にまた、上記目的を達成するための本発明の被切断材の切断方法は、上記のチェーンソー用案内装置を備えたチェーンソーを用いて被切断材を切断する被切断材の切断方法において、上記チェーンソー用案内装置をチェーンソーのガイドバーの先端部に取付け、被切断材の表面に切断線を罫書き、当該被切断材に上記チェーンソーのガイドバーの先端部側に罫書かれた切断線に沿う方向で上記チェーンソー用案内装置のローラが転動可能に係入される溝を形成し、当該チェーンソーで当該被切断材を切断する際、上記チェーンソー用案内装置のローラを上記溝に係入し、該溝を転動させながら切断するようにしている。
【００１６】
これにより、例えば、被切断材が丸太の場合であって、これを長手方向に切断するときは、ローラを被切断材の溝に転動させてチェーンソーを被切断材に支持させながらガイドバーを移動させる。この場合、作業者側に罫書かれた切断線は目視できるため、切断線を外れないようにガイドバーを移動させることができる。また、作業者と反対側に罫書かれた切断線は目視できないが、切断線に沿う方向の溝をローラが転動するので、ガイドバーの先端部が切断線を外れることなく切断作業を行なうことができる。そのため、精度良く製材することができ、熟練度の低い者でも容易に切断作業を行なうことができる。
【発明の効果】
【００１７】
本発明のチェーンソー用案内装置によれば、被切断材の切断時にガイドバーの面方向に沿って被切断材の表面を転動するローラを取付けたので、ローラがガイドバーの面方向に沿って被切断材の表面を転動することができ、そのため、被切断材の表面が丸太のような曲面であっても、被切断材の表面に引っ掛りにくくなり、チェーンソーの支持を安定させてスムーズにガイドバーを移動させることができ、そのため、精度良く製材することができる。
【発明を実施するための最良の形態】
【００１８】
以下、添付図面に基づいて本発明の実施の形態に係るチェーンソー用案内装置を説明する。尚、上記と同様のものには同一の符号を付して説明する。
図１乃至図４には、本発明の第一の実施の形態に係るチェーンソー用案内装置を示している。これは、チェーンソーＣに取付けられる。チェーンソーＣは、エンドレスのチェーン刃２を、本体８に突設された板状のガイドバー１の周縁に巻回してなる。このチェーンソーＣにおいては、本体８より作業者側にＵ字状に形成されたグリップ５と、その反対側にハンドル４とを設けて形成される。
【００１９】
チェーンソー用案内装置は、被切断材６の切断時にガイドバー１の面方向に沿って被切断材６の表面を転動するローラ９と、ガイドバー１に取付けられローラ９を転動可能に支持する支持体１０とを備えて構成される。
支持体１０は、ローラ９をチェーン刃２に対向しかつローラ９の回転軸１２がガイドバー１の面方向に直交するように保持する保持部１３と、保持部１３に延設されチェーン刃２を跨いでガイドバー１の側面に固定される一対の脚部１４とを備えて形成されている。保持部１３は、断面コ字状に形成されて、回転軸１２を架設保持しており、この回転軸１２にローラ９が軸支されている。
【００２０】
支持体１０は、脚部１４をガイドバー１に対して解除可能にロックするロック機構１６を備える。ロック機構１６は、脚部１４に形成され軸線がガイドバー１の側面に直交する雌ネジ１１と、雌ネジ１１にねじ込まれる螺子１５とを備えて構成されている。雌ネジ１１と螺子１５との組は一対設けられている。これにより、支持体１０は、ガイドバー１に任意の場所へ２箇所の螺子１５で取付け固定される。このとき、一方の脚部１４をガイドバー１に接触させ、他方の脚部１４の雌ネジ１１に螺子１５をねじ込んで、一方の脚部１４と螺子１５とで挾持して取付け固定する。よって、螺子１５を外すだけでロック解除でき、着脱可能となる。
【００２１】
また、チェーンソー用案内装置は、チェーンソーＣの移動時にガイドバー１の傾きを視認するための水準器１７を備えている。この水準器１７は、アルコールや不燃性特種溶液を入れたガラス製容器に、ひとつの気泡を入れて密封して構成される。容器の水平面が非常に微妙な曲面になっていることにより、水準器１７を置いた面の角度によって気泡の位置が変化し、少しでも傾いていると気泡は容器の中央から離れていき、水平面上では気泡は中央に来て静止する。水準器１７は、作業者が作業中に視認しやすい任意の場所へ取付け固定する。
【００２２】
また、本装置は、被切断材６に対し切断線１９を投射するレーザー光を送出するレーザー墨出器２０を備える。このレーザー墨出器２０は、水平、垂直方向に直線のレーザー光を発することができる。また、本装置は、本体８に取付けられ、ガイドバー１が通過する仮想面Ｓ上に位置する基準線２１が描かれレーザー光を反射する受光板２２を備えている。この受光板２２は、基準線２１がガイドバー１の中心面（仮想面Ｓ）上に位置するように、かつ、作業者が視認し易い箇所に取付け固定される。
【００２３】
従って、この第一の実施の形態に係るチェーンソー用案内装置を用いて切断作業を行なう場合は、以下のようになる。この切断は、被切断材６が丸太であり、これを長手方向に切断する場合である。先ず、ガイドバー１に支持体１０を取付ける。取付けは、一方の脚部１４をガイドバー１に接触させ、他方の脚部１４の雌ネジ１１に螺子１５をねじ込んで、一方の脚部１４と螺子１５とで挾持して取付け固定する。螺子１５を外せばロック解除でき、着脱可能となる。そのため、支持体１０の位置を容易に変更することが可能で、ガイドバー１の長さを被切断材６の大きさに合わせることができる。
【００２４】
次に、この状態で、チェーンソーＣを駆動し、切断作業を行なう。この場合、被切断物６へレーザー墨出器２０よりレーザー光を当てて、切断箇所を明確にする。そして、受光板２２の基準線２１上にレーザー光が重なるようにガイドバー１を被切断材６の端部へ当接させる。片方の手でハンドル４を、もう片方の手でグリップ５を把持し、チェーン刃２を回転駆動させる。この状態で、ガイドバー１がレーザー光の道筋を通るように切断作業を行なう。ローラ９を被切断材６に接触させガイドバー１がスムーズに移動できるように転動させながら、ガイドバー１を移動させていく。このとき、作業中にガイドバー１が傾くとレーザー光の道筋を外れてしまうので、チェーンソーＣに取付けた水準器１７を視認しながら作業を行なっていく。また、受光板２２にはガイドバー１が通過する仮想面Ｓ上に位置する基準線２１が描かれており、この仮想面Ｓ上に切断線１９が位置するようにガイドバー１を進行させればよいことから、作業者は、受光板２２を見て受光板２２に写ったレーザー光と基準線２１とが一致するようにガイドバー１を進行させればよいので、ガイドバー１の姿勢を容易に修正でき、そのため、この点でも精度良く製材することができる。このため、熟練度の低い者でも容易に切断作業を行なうことができる。
【００２５】
この際、ローラ９は、被切断材６の表面が凸凹であったり、丸太などの曲面であっても引っ掛りにくく、そのため、チェーンソーＣの支持が安定し、ガイドバー１をスムーズに移動させることができる。また、ガイドバー１の長さを被切断材６の大きさに合わせられるため、作業中にチェーン刃２が石や他の切断物などの接触物に触れることが無く、ガイドバー１の移動がスムーズに行なえる。このため、熟練度の低い者でも容易に切断作業を行なうことができる。
【００２６】
また、ローラ９及び支持体１０は必要時にのみ取付けることができるので、例えば、立木を切断する場合には、ローラ９及び支持体１０をガイドバー１から取外すことができ、チェーンソーＣだけで作業を行なうことができる。立木の切断などのように、ガイドバー１を支持する装置が無くても作業精度が変わらない場合は、ローラ９及び支持体１０を取外しチェーンソーＣを軽くして作業を行なうことができる。
【００２７】
図５及び図６には、本発明の第一の実施の形態に係るチェーンソー用案内装置を用いて行なう別の切断方法の例を示している。
この別の切断方法で切断作業を行なう場合は、以下のようになる。これは、レーザー墨出器２０を使用しない場合の切断方法である。先ず、ガイドバー１に支持体１０を取付ける。このとき、支持体１０をチェーンソーＣの先端部７に取付ける。取付け，取外しは、上記の実施の形態の切断方法と同様である。この場合、支持体１０の位置を容易に変更することが可能で、ガイドバー１の切断幅を被切断材６の大きさに合わせることができる。
【００２８】
また、被切断物６へ切断線１９を罫書き、切断箇所を明確にする。そして、被切断物６の切断線１９に沿ってチェーンソー用案内装置のローラ９が転動可能に係入される溝３０を形成する。このとき、チェーンソーＣのガイドバー１の先端部７側に罫書かれた切断線１９に沿う方向の切断線１９、即ち、作業者とは反対側の切断線１９のみに溝３０を形成すれば良い。この状態で、チェーンソーＣを駆動し、切断作業を行なう。この場合、切断線１９にガイドバー１を当接させ、溝３０にローラ９を係入させる。片方の手でハンドル４を、もう片方の手でグリップ５を把持し、ガイドバー１が切断線１９を通るようにガイドバーを移動させて切断作業を行なう。ローラ９をガイドバー１がスムーズに移動できるように転動させながら、ガイドバー１を移動させていく。この場合、作業者側の切断線１９は目視できるため、切断線１９を外れないようにガイドバー１を移動させることができる。また、作業者とは反対側の切断線１９は目視できないが、切断線１９に沿って形成された溝３０をローラ９が転動するので、ガイドバー１の先端部７が切断線１９を外れることなく、切断作業を行なうことができる。そのため、精度良く製材することができ、熟練度の低い者でも容易に切断作業を行なうことができる。この際、ローラ９は、ローラ９と溝３０との当接面が凹凸であっても引っ掛りにくく、そのため、チェーンソーＣの支持が安定し、ガイドバー１をスムーズに移動させることができる。
【００２９】
図７乃至図９には、本発明の第二の実施の形態に係るチェーンソー用案内装置を示している。これは、保持部１３を、ベース部材４０と、アーム４３と、スプリング４４と、ストッパ４５とを備えて構成したものである。その他の構成は、第一の実施の形態と同様である。
【００３０】
ベース部材４０は、基部４１と、支柱４２とで構成されている。
基部４１は、図７乃至図９に示すように、直方体状に形成され、一対の脚部１４が延設されている。
支柱４２は、図７乃至図９に示すように、基部４１の脚部１４が延設されている側とは反対側に設けられ、その先端には、後述のアーム４３が設けられている。
【００３１】
アーム４３は、図７乃至図９に示すように、その一端４３ａにローラ９を転動可能に保持し、その他端４３ｂがベース部材４０の支柱４２に回動可能に軸支されている。このアーム４３は、ローラ９及び支柱４２を挟んで一対設けられている。
スプリング４４は、図７乃至図９に示すように、支柱４２とアーム４３との間に設けられ、ローラ９のベース部材４０側方向への移動とは反対方向にアーム４３を付勢している。このスプリング４４は、一端が一対のアーム４３に挟まれ他端が基部４１に固定される固定部４６の外周に設けられている。
ストッパ４５は、図７及び図９に示すように、アーム４３のベース部材４０側方向への移動を止めるストッパ４５ａと、アーム４３のベース部材４０側方向とは反対方向への移動を止めるストッパ４５ｂとの２つとからなり、夫々、支柱４２に設けられている。ストッパ４５ａは、ローラ９がベース部材４０に接触しないように所定の位置に設けられている。
【００３２】
従って、このチェーンソー用案内装置を用いて切断作業を行なう場合は、以下のようになる。これは、レーザー墨出器２０を使用しない場合の切断方法である。先ず、ガイドバー１に支持体１０を取付ける。このとき、支持体１０をチェーンソーＣの先端部７に取付ける。取付け，取外しは、上記の第一の実施の形態の別の切断方法と同様である。この場合、支持体１０の位置を容易に変更することが可能で、ガイドバー１の切断幅を被切断材６の大きさに合わせることができる。
【００３３】
また、被切断材６へ切断線１９を罫書き、切断箇所を明確にする。そして、被切断材６の切断線１９に沿ってチェーンソー用案内装置のローラ９が転動可能に係入される溝３０を形成する。このとき、チェーンソーＣのガイドバー１の先端部７側に罫書かれた切断線１９に沿う方向の切断線１９、即ち、作業者とは反対側の切断線１９のみに溝３０を形成すれば良い。この状態で、チェーンソーＣを駆動し、切断作業を行なう。この場合、切断線１９にガイドバー１を当接させ、溝３０にローラ９を係入させる。片方の手でハンドル４を、もう片方の手でグリップ５を把持し、ガイドバー１が切断線１９を通るようにガイドバー１を移動させて切断作業を行なう。ローラ９をガイドバー１がスムーズに移動できるようにチェーンソーＣをガイドバー１の長手方向に手で押したり引いたりしてローラ９を被切断材６に接触させて転動させながら、ガイドバー１を移動させていく。
【００３４】
この場合、作業者側の切断線１９は目視できるため、切断線１９を外れないようにガイドバー１を移動させることができる。また、作業者とは反対側の切断線１９は目視できないが、切断線１９に沿って形成された溝３０をローラ９が転動するので、ガイドバー１の先端部７が切断線１９を外れることなく、切断作業を行なうことができる。また、チェーンソーＣが、手の微妙な動きや被切断材６の凹凸具合によってガイドバー１の長手方向に動いても、ローラ９がスプリング４４により被切断材６に対して弾接しているので、ローラ９の被切断材６に対する追従性が向上し、安定した切断を行なうことができる。更に、ストッパ４５を設けたので、ローラ９が所定の揺動範囲で揺動し、そのため、保持部１３に接触することがなく、ローラ９の回転が妨げられることがない。そのため、精度良く製材することができ、熟練度の低い者でも容易に切断作業を行なうことができる。
【００３５】
図１０には、本発明の第一の実施の形態に係るチェーンソー用案内装置の変形例を示している。これは、被切断材６の切断時にガイドバー１の面方向に沿って被切断材６の表面を転動するローラ９と、一端がガイドバー１に取付けられ、他端にローラ９を回転自在に支持する支持体１０と、支持体１０の他端をガイドバー１に対して解除可能にロックするロック機構１６とを備えている。ロック機構１６は、ガイドバー１に設けた孔及び支持体１０の一端に設けた孔に挿通される螺子１５とこの螺子１５に螺合するナット１８とを備えている。螺子１５とナット１８の組は一対設けられている。また、ガイドバー１には、孔が複数設けられており、被切断材６の大きさに合わせて適宜選択され、支持体１０の取付け位置が調整される。
【００３６】
図１１には、本発明の第一の実施の形態に係るチェーンソー用案内装置の別の変形例を示している。これは、図７に示すローラ９及び支持体１０を一対備え、これらをガイドバー１の両側に夫々設けるようにしたものである。
【００３７】
尚、ローラ９の数、支持体１０の数、ロック機構１６の形態は上述したものに限定されるものではなく、適宜変更して差支えない。また、上記の実施の形態において、被切断物６を丸太で構成したが、必ずしもこれに限定されるものでなく、角材など木材であれば、どのようなものでも良い。
【図面の簡単な説明】
【００３８】
【図１】本発明の第一の実施の形態に係るチェーンソー用案内装置をチェーンソーへの取付け状態及びその使用状態とともに示す斜視図である。
【図２】本発明の第一の実施の形態に係るチェーンソー用案内装置のローラ及び支持体の取付状態を示す拡大斜視図である。
【図３】本発明の第一の実施の形態に係るチェーンソー用案内装置のローラ及び支持体を示す正面断面図である。
【図４】本発明の第一の実施の形態に係るチェーンソー用案内装置の取付け状態を示す側面図である。
【図５】本発明の第一の実施の形態に係るチェーンソー用案内装置を用いた別の切断方法を示す斜視図である。
【図６】本発明の第一の実施の形態に係るチェーンソー用案内装置を用いた別の切断方法において、チェーンソー用案内装置のローラ及び支持体の取付状態を示す拡大斜視図である。
【図７】本発明の第二の実施の形態に係るチェーンソー用案内装置のローラ及び支持体を示す拡大斜視図である。
【図８】本発明の第二の実施の形態に係るチェーンソー用案内装置をチェーンソーへの取付け状態及びその使用状態とともに示す斜視図である。
【図９】本発明の第二の実施の形態に係るチェーンソー用案内装置のローラ及び支持体の取付状態を示す拡大斜視図である。
【図１０】本発明の第一の実施の形態に係るチェーンソー用案内装置の変形例のローラ及び支持体を示す断面図である。
【図１１】本発明の第一の実施の形態に係るチェーンソー用案内装置の別の変形例のローラ及び支持体を示す断面図である。
【図１２】従来のチェーンソーの一例を示す図である。
【符号の説明】
【００３９】
Ｃ  チェーンソー
Ｓ  仮想面
１  ガイドバー
２  チェーン刃
４  ハンドル
５  グリップ
６  被切断材
７  先端部
８  本体
９  ローラ
１０  支持体
１１  雌ネジ
１２  回転軸
１３  保持部
１４  脚部
１５  螺子
１６  ロック機構
１７  水準器
１８  ナット
１９  切断線
２０  レーザー墨出器
２１  基準線
２２  受光板
３０  溝
４０  ベース部材
４１  基部
４２  支柱
４３  アーム
４４  スプリング
４５  ストッパ
４６  固定部
【図１】
2008120066.tif 000003
【図２】
2008120066.tif 000004
【図３】
2008120066.tif 000005
【図４】
2008120066.tif 000006
【図５】
2008120066.tif 000007
【図６】
2008120066.tif 000008
【図７】
2008120066.tif 000009
【図８】
2008120066.tif 000010
【図９】
2008120066.tif 000011
【図１０】
2008120066.tif 000012
【図１１】
2008120066.tif 000013
【図１２】
2008120066.tif 000014